(57)【要約】【課題】制御対象機器の情報を表示するシステムにおいて、制御対象機器が備えるメモリの使用を節約することが可能な制御機器情報システムを提供する。【解決手段】アダプタ３０は、状態量を検知する各種検知センサ５０と、状態データ３６を格納するアダプタメモリ３５を有している。遠隔監視センタ７０は、アダプタ３０に関する状態データ３６と共に表示出力するための画面構成データ７４が格納されているセンタメモリ７３を有している。ブラウザＰＣ４０は、ディスプレイ４２を有し、アダプタメモリ３５に格納されている状態データ３６とセンタメモリ７３に格納されている画面構成データ７４をそれぞれ通信により取得し、取得した状態データ３６を画面構成データ７４と共にディスプレイ４２に表示出力する。【選択図】図２
2009055586.tif 000002
【特許請求の範囲】
【請求項１】
状態量を検知する状態検知手段（５０）と、前記状態検知手段が検知した状態データ（３６）を格納する機器メモリ（３５）を有する制御対象機器（１、３０）と、
前記制御対象機器（１、３０）に関する前記状態データ（３６）と共に表示出力するための画面構成データ（７４）が格納されているサーバメモリ（７３）を有するサーバ（７０）と、
ディスプレイ（４２）を有し、前記機器メモリ（３５）に格納されている前記状態データ（３６）と前記サーバメモリ（７３）に格納されている前記画面構成データ（７４）をそれぞれ通信により取得し、取得した前記状態データ（３６）を前記画面構成データ（７４）と共に前記ディスプレイ（４２）に表示出力する表示装置（４０）と、
を備えた制御機器情報システム（１００）。
【請求項２】
前記表示装置（４０）は、前記サーバメモリ（７３）に格納されている前記画面構成データ（７４）を、前記制御対象機器（３０）を介した通信によって取得する、
請求項１に記載の制御機器情報システム（１００）。
【請求項３】
前記サーバ（７０）は、前記制御対象機器（３０）の前記機器メモリ（３５）に格納されている前記状態データ（３６）を要求する要求指示を前記表示装置（４０）から前記制御対象機器（３０）に送らせるための表示処理開始プログラム（７６）を有しており、
前記表示装置（４０）は、表示装置メモリ（４３）を有し、前記サーバ（７０）から前記表示処理開始プログラム（７６）をダウンロードして前記表示装置メモリ（４３）において実行する、
請求項１または２に記載の制御機器情報システム（１００）。
【請求項４】
前記表示装置（４０）は、制御指示受付部（４５）を有し、前記制御指示受付部（４５）が受け付けた制御データを、前記制御対象機器（３０）に対して送信する、
請求項１から３のいずれか１項に記載の制御機器情報システム（１００）。
【請求項５】
前記表示装置（４０）は、取得した前記画面構成データ（７４）のうち、最新のデータを格納するキャッシュメモリ（４６）を有している、
請求項１から４のいずれか１項に記載の制御機器情報システム（１００）。
【発明の詳細な説明】
【技術分野】
【０００１】
本発明は、制御機器の状態情報を表示出力する制御機器情報システムに関する。
【背景技術】
【０００２】
従来より、以下に示す特許文献１に記載のように、制御対象である空気調和装置に関する運転中、停止中、故障中等の稼働状態や、設定温度、検出温度、検出結果・動作状態を示す情報を取得して、表示装置のディスプレイに表示して、管理等が行われている。
【０００３】
このような、空気調和装置に関する情報を表示する場合には、取得したデータだけでなく、表示出力を行う際の画面構成のデータが必要になる。そして、このような画面構成データは、制御対象である機器のメモリに予め格納しておき、表示装置に読み取らせる構成のシステムがある。
【特許文献１】特開平９−２５７２９７号公報
【発明の開示】
【発明が解決しようとする課題】
【０００４】
しかし、上記のシステムでは、空気調和装置が有しているメモリにおいて画面構成データを格納させているため、空気調和装置が有しているメモリは、このような画面構成データを格納することができるだけの容量が必要になってしまう。これに対して、空気調和装置が有しているメモリにおいて、画面構成データを格納することや画面構成データを用いることによって消費される容量分をできるだけ低く抑えたいという要望がある。
【０００５】
本発明は、上述した点に鑑みてなされたものであり、本発明の課題は、制御対象機器の情報を表示するシステムにおいて、制御対象機器が備えるメモリの使用を節約することが可能な制御機器情報システムを提供することにある。
【課題を解決するための手段】
【０００６】
第１発明に係る制御機器情報システムは、制御対象機器と、サーバと、表示装置とを備えている。制御対象機器は、状態量を検知する状態検知手段と、状態検知手段が検知した状態データを格納する機器メモリを有している。サーバは、制御対象機器に関する状態データと共に表示出力するための画面構成データが格納されているサーバメモリを有している。表示装置は、ディスプレイを有し、機器メモリに格納されている状態データとサーバメモリに格納されている画面構成データをそれぞれ通信により取得し、取得した状態データを画面構成データと共にディスプレイに表示出力する。
【０００７】
ここでは、制御対象機器の状態データを表示出力する際に利用する画面構成データが、制御対象機器自体ではなく、サーバのサーバメモリに格納されている。そして、表示装置が、状態データを制御対象機器から取得し、画面構成データをサーバから取得し、これらを共にディスプレイに表示出力する。
【０００８】
これにより、制御対象機器の状態データを表示出力するシステムにおいて、制御対象機器の機器メモリには画面構成データが含まれていないため、機器メモリの容量を小さく抑えることが可能になる。
【０００９】
第２発明に係る制御機器情報システムは、第１発明の制御機器情報システムにおいて、表示装置は、サーバメモリに格納されている画面構成データを、制御対象機器を介した通信によって取得する。
【００１０】
ここでは、表示装置は、画面構成データを制御対象機器を介したサーバとの通信によって取得することができる。
【００１１】
これにより、表示装置は、サーバとの間で直接通信を行わなくても、状態データと画面構成データとをディスプレイに表示出力することが可能になる。
【００１２】
第３発明に係る制御機器情報システムは、第１発明または第２発明の制御機器情報システムにおいて、サーバは、制御対象機器の機器メモリに格納されている状態データを要求する要求指示を表示装置から制御対象機器に送らせるための表示処理開始プログラムを有している。表示装置は、表示装置メモリを有し、サーバから表示処理開始プログラムをダウンロードして表示装置メモリにおいて実行する。
【００１３】
ここでは、表示装置は、サーバから表示処理開始プログラムをダウンロードし、表示装置メモリにおいて実行することができ、自動的に制御対象機器に対して状態データを要求できる。
【００１４】
これにより、制御対象機器に対して状態データを要求する処理を行うためのプログラムを表示装置が有している必要がなくなり、サーバからの画面構成データのダウンロードと共に表示処理開始プログラムをダウンロードすることで表示処理を自動的に開始することが可能になる。
【００１５】
第４発明に係る制御機器情報システムは、第１発明から第３発明のいずれかの制御機器情報システムにおいて、表示装置は、制御指示受付部を有し、制御指示受付部が受け付けた制御データを、制御対象機器に対して送信する。
【００１６】
ここでは、ユーザは、表示装置における表示内容を参照しつつ、制御データを制御指示受付部に対して入力することが可能になる。
【００１７】
第５発明に係る制御機器情報システムは、第１発明から第４発明のいずれかの制御機器情報システムにおいて、表示装置は、取得した画面構成データのうち、最新のデータを格納するキャッシュメモリを有している。
【００１８】
ここでは、再度の表示処理を行う際に、制御対象機器に対応した画面構成データがキャッシュメモリに残っている場合には、その残っている画面構成データを用いて表示出力を行うことができるため、表示装置が再度サーバにアクセスして画面構成データを取得する必要がなくなる。
【発明の効果】
【００１９】
第１発明の制御機器情報システムでは、制御対象機器の状態データを表示出力するシステムにおいて、制御対象機器の機器メモリには画面構成データが含まれていないため、機器メモリの容量を小さく抑えることが可能になる。
【００２０】
第２発明の制御機器情報システムでは、表示装置は、サーバとの間で直接通信を行わなくても、状態データと画面構成データとをディスプレイに表示出力することが可能になる。
【００２１】
第３発明の制御機器情報システムでは、制御対象機器に対して状態データを要求する処理を行うためのプログラムを表示装置が有している必要がなくなり、サーバからの画面構成データのダウンロードと共に表示処理開始プログラムをダウンロードすることで表示処理を自動的に開始することが可能になる。
【００２２】
第４発明の制御機器情報システムでは、ユーザは、表示装置における表示内容を参照しつつ、制御データを制御指示受付部に対して入力することが可能になる。
【００２３】
第５発明の制御機器情報システムでは、再度の表示処理を行う際に、制御対象機器に対応した画面構成データがキャッシュメモリに残っている場合には、その残っている画面構成データを用いて表示出力を行うことができるため、表示装置が再度サーバにアクセスして画面構成データを取得する必要がなくなる。
【発明を実施するための最良の形態】
【００２４】
＜空気調和システム１００の概略構成＞
図１に、本発明の一実施形態が採用された空気調和システム１００の概略構成図を示す。
【００２５】
空気調和システム１００は、空気調和装置１と、遠隔監視センタ７０と、ブラウザＰＣ４０と、とを備えており、空気調和装置１の状態監視を行ったり、制御を行うシステムである。
【００２６】
ここで、遠隔監視センタ７０とブラウザＰＣとは、図１に示すように、インターネット介して通信可能に接続されている。また、ブラウザＰＣと空気調和装置１とは、図１に示すように、ローカルネットワークを介して通信可能に接続されている。
【００２７】
ここで、空気調和システム１００の概略ブロック構成図を、図２に示す。
【００２８】
遠隔監視センタ７０は、遠隔から空気調和装置１の監視を行ったり、制御を行う装置であって、ＣＰＵ７１と、ディスプレイ７２と、センタメモリ７３と、通信部７９を備えている。センタメモリ７３には、予め、画面構成データ７４と、アダプタＩＰアドレス７５と、アクティブＸプログラム７６等が格納されている。ここで、画面構成データ７４は、例えば、図３および図４に示すような、画面表示を行うための基本となる画像データである。この画面構成データ７４に対して、後述する空気調和装置１の状態データ３６が対応入力されることで、ブラウザＰＣ４０によって、図５および図６に示すような、状態データ３６が含まれた画像表示が行われる。なお、ここでの画面構成データ７４は、ＨＴＭＬ形式のデータである。また、アダプタＩＰアドレス７５は、図２に示すように、ブラウザＰＣ４０がアダプタ３０に対してアクセスすることができるように、アダプタ３０に割り振られているアダプタＩＰアドレス３３と対応するものである。また、アクティブＸプログラム７６は、ブラウザＰＣ４０によってダウンロードされ、ブラウザＰＣ４０上で機動されるプログラムであって、ブラウザＰＣ４０にアダプタ３０から状態データ３６を取得させる処理を実行させるものである。なお、遠隔監視センタ７０の通信は、通信部７９を介して行われる。
【００２９】
ブラウザＰＣ４０は、インターネットを介して遠隔監視センタ７０と接続されており、ＣＰＵ４１と、ディスプレイ４２と、ブラウザ４４と、キーボード４５と、キャッシュメモリ４６と、ブラウザメモリ４３と、通信部４９を有している。ブラウザＰＣ４０は、上述したように、遠隔監視センタ７０から画面構成データ７４を取得し、アダプタ３０から状態データ３６を取得し、ブラウザメモリ４３に格納しつつ、ブラウザ４４がこれらのデータを合成処理することで、図５および図６のような画像をディスプレイ４２に対して表示出力させるものである。なお、ここで、キャッシュメモリ４６には、遠隔監視センタ７０から取得した最新の画面構成データ７４が上書き保存されている。なお、ブラウザＰＣ４０自身は、プログラムを有しているわけではなく、遠隔監視センタ７０からアクティブＸプログラム７６をダウンロードして、インストールを行うことなくブラウザメモリ４３上で実行させる。なお、ブラウザＰＣは、キーボード４５によってユーザの制御データを受け付けて、アダプタ３０に送信することで、ユーザの望む制御をアダプタ３０に実行させる。なお、ブラウザＰＣ４０の通信は、通信部４９を介して行われる。
【００３０】
空気調和装置１は、図１に示すように、室内機１０と室外機２０とが接続されて構成されている。そして、室内機１０は、ブラウザＰＣ４０と通信可能に接続されるアダプタ３０を有している。
【００３１】
アダプタ３０は、ＣＰＵ３１と、制御プログラム３２と、アダプタメモリ３５と、通信部３９を備えている。制御プログラム３２は、上述したように、ブラウザＰＣ４０のキーボード４５を介してユーザによって入力されたデータをアダプタ３０が受信することで、制御データに従って制御プログラム３２を機動させ、室内機１０および室外機２０を制御する。アダプタメモリ３５は、小容量メモリ（１２８ＫＢのメモリ）であり、アダプタＩＰアドレス３３が格納されている。ここで、アダプタＩＰアドレス３３は、アダプタ３０を特定するために予めアダプタ３０自体に割り当てられている固有のＩＤである。また、アダプタメモリ３５には、制御対象である室内機１０や室外機２０に設けられた各種検知センサ５０が検知する状態データが格納される。ここで、アダプタ３０自体は、これらの状態データ３６を表示出力するための基本となる画面構成データは格納していない。これは、アダプタ３０のアダプタメモリ３５に、画面構成データを格納することでアダプタメモリ３５の容量が増大することを防ぐためである。なお、アダプタ３０の通信は、通信部３９を介して行われる。
【００３２】
各種検知センサ５０は、例えば、室内機１０が設置されている室内の温度や湿度、室外機１０が設置されている室外の温度等を検知する。
【００３３】
＜画面更新処理＞
図７に、画面表示処理のフローチャートを示す。
【００３４】
ステップＳ１１では、ブラウザＰＣ４０が、ユーザからの遠隔監視センタ７０のＵＲＬを受け付ける。ここで、ユーザは、ブラウザＰＣ４０のキーボード４５によって遠隔監視センタ７０のＵＲＬを入力し、ブラウザＰＣ４０のＣＰＵ４１がインターネットを介して遠隔監視センタ７０にアクセスする。
【００３５】
ステップＳ１２では、ブラウザＰＣ４０のＣＰＵ４１が、インターネットを介して、遠隔監視センタ７０から、画面構成データ７４と、アダプタＩＰアドレス７５と、アクティブＸプログラム７６とを、ダウンロードする。
【００３６】
ステップＳ１３では、ブラウザＰＣ４０のＣＰＵ４１は、ダウンロードした画面構成データ７４を、インストールすることなく、ブラウザメモリ４３に格納する。
【００３７】
なお、ここでは、空気調和装置１に関する状態データ３６を取得する前であっても、各画面構成データを表示出力することができる。すなわち、この状態で、ブラウザＰＣ４０のＣＰＵ４１は、監視対象となる空気調和装置１が複数存在する場合には、ディスプレイ４２に、図８に示すような、複数の空気調和装置１の一覧表示を表示出力することができる。この監視対象エアコンの一覧表示の中には、図８に示すように、各空気調和装置１それぞれに対応した「操作」ボタンを表示させることができる。
【００３８】
ここで、複数の空気調和装置１の「操作」ボタンの中から、ユーザは、特定の空気調和装置１の「操作」ボタンを選んで選択入力することができる。ブラウザＰＣ４０のＣＰＵ４１は、このユーザによる選択入力を受け付けた場合に、当該受け付けた空気調和装置１に関する画面構成データ（例えば、図３、図４等の画面構成データ）をディスプレイ４２に表示出力することができる。このように、当該受け付けた空気調和装置１に関する画面構成データがディスプレイ４２に表示出力された状態で、ブラウザＰＣ４０のＣＰＵ４１は、ユーザからキーボード４５等を介したさらなる入力を受け付けることにより、各空気調和装置１の設定操作をブラウザＰＣによって行うこともできる。
【００３９】
ステップＳ１４では、ブラウザＰＣ４０のＣＰＵ４１は、ダウンロードしたアクティブＸプログラム７６を自動的に起動させて、アダプタＩＰアドレス７５の宛先にしたがって自動的にアダプタ３０にアクセスする。
【００４０】
ステップＳ１５では、ブラウザＰＣ４０のＣＰＵ４１がアダプタ３０にアクセスすることで、アダプタ３０のＣＰＵ３１は、アダプタメモリ３５に格納されている状態データ３６をブラウザＰＣ４０に送信する。
【００４１】
ステップＳ１６では、ブラウザＰＣ４０のブラウザメモリ４３は、状態データ３６をブラウザメモリ４３に格納する。そして、ブラウザ４４は、ブラウザメモリ４３に格納されている遠隔監視センタ７０からダウンロードしてきた画面構成データ７４と、アダプタ３０から受信した状態データ３６とを組み合わせる処理を行い、図５および図６のような画像および数値データをディスプレイ４２に表示出力させる。
【００４２】
＜本実施形態に係る空気調和システム１００の特徴＞
（１）
本実施形態の空気調和システム１００では、空気調和装置１の室内機１０や室外機２０に設けられた複数の各種検知センサ５０が取得する状態データ３６を、ブラウザＰＣ４０において目に見えるかたちで表示出力する際に、遠隔監視センタ７０のセンタメモリ７３に格納されている画面構成データ７４をブラウザＰＣ４０がダウンロードすれば足り、空気調和装置１のアダプタ３０のアダプタメモリ３５には画面構成データを格納させる必要がないため、アダプタメモリ３５の容量を小さく抑えることができる。
【００４３】
（２）
本実施形態の空気調和システム１００では、ブラウザＰＣ４０に表示処理を開始させるためのプログラムであるアクティブＸプログラム７６が遠隔監視センタ７０のセンタメモリ７３に格納されている。このため、ブラウザＰＣ４０自体は、表示処理を開始させ、アダプタ３０に対して状態データ３６を要求する処理を行うためのプログラムを保持しておく必要がなくなり、遠隔監視センタ７０からの画面構成データ７４のダウンロードと共にアクティブＸプログラム７６をダウンロードすることで表示処理を自動的に開始することができる。
【００４４】
（３）
本実施形態の空気調和システム１００では、キャッシュメモリ４６には、遠隔監視センタ７０から取得した最新の画面構成データ７４が上書き保存されている。このため、ブラウザＰＣ４０が、再度の表示出力を行う際に、アダプタ３０に対応した画面構成データ７４がキャッシュメモリ４６に残っている場合には、その残っている画面構成データ７４を用いて表示出力を行うことができるため、ブラウザＰＣ４０が再度遠隔監視センタ７０にアクセスして画面構成データ７４を取得する必要がなくなる。
【００４５】
＜空気調和システム１００の変形例＞
以上、本発明の実施形態について図面に基づいて説明したが、具体的な構成は、これらの実施形態に限られるものではなく、発明の要旨を逸脱しない範囲で変更可能である。
【００４６】
上記実施形態では、ブラウザＰＣ４０が遠隔監視センタ７０と直接通信を行うことで画面構成データ７４等をダウンロードする場合を例に挙げて説明した。
【００４７】
しかし、本発明はこれに限られるものではなく、ブラウザＰＣ４０が、アダプタ３０に画面構成データを要求する信号を送信し、アダプタ３０が、遠隔監視センタ７０から画面構成データ７４等をダウンロードし、アダプタ３０がインストールすることなくブラウザＰＣ４０に送信することで、ブラウザＰＣが画面構成データ７４等を取得するようにしてもよい。この場合には、ブラウザＰＣ４０は、遠隔監視センタ７０との間で直接通信を行わなくても、状態データ３６と画面構成データ７４とを共に表示出力させることができる。
【産業上の利用可能性】
【００４８】
本発明を利用すれば、制御対象機器が備えるメモリの使用を節約することが可能なため、特に、制御対象機器の情報を表示するシステムにおいて用いることができる。
【図面の簡単な説明】
【００４９】
【図１】空気調和システムの概略構成図。
【図２】空気調和システムの機能ブロック構成図。
【図３】設定温度等についての画面構成データを示す図。
【図４】風量についての画面構成データ例を示す図。
【図５】設定温度等についての画面表示例を示す図。
【図６】風量についての画面表示例を示す図。
【図７】画面表示処理のフローチャート。
【図８】空気調和装置毎の「操作」ボタン受付画面の例を示す図。
【符号の説明】
【００５０】
１    空気調和装置
１０    室内機
２０    室外機
３０    アダプタ（制御対象機器）
３５    アダプタメモリ（機器メモリ）
３６    状態データ
４０    ブラウザＰＣ（表示装置）
４２    ディスプレイ
４３    ブラウザメモリ（表示装置メモリ）
４４    ブラウザ
４６    キャッシュメモリ
４９    通信部
５０    各種検知センサ（状態検知手段）
７０    遠隔監視センタ
７３    センタメモリ（サーバメモリ）
７４    画面構成データ
７６    アクティブＸプログラム（表示処理開始プログラム）
１００    空気調和システム（制御機器情報システム）
【図１】
2009055586.tif 000003
【図２】
2009055586.tif 000004
【図３】
2009055586.tif 000005
【図４】
2009055586.tif 000006
【図５】
2009055586.tif 000007
【図６】
2009055586.tif 000008
【図７】
2009055586.tif 000009
【図８】
2009055586.tif 000010
【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
状態量を検知する状態検知手段（５０）と、前記状態検知手段が検知した状態データ（３６）を格納する機器メモリ（３５）を有する制御対象機器（１、３０）と、
前記制御対象機器（１、３０）に関する前記状態データ（３６）と共に表示出力するための画像データ（７４）が格納されているサーバメモリ（７３）を有するサーバ（７０）と、
ディスプレイ（４２）を有し、前記機器メモリ（３５）に格納されている前記状態データ（３６）と前記サーバメモリ（７３）に格納されている前記画像データ（７４）をそれぞれ通信により取得し、取得した前記状態データ（３６）を前記画像データ（７４）と共に前記ディスプレイ（４２）に表示出力する表示装置（４０）と、
を備え、
前記表示装置（４０）は、前記取得した前記状態データ（３６）を前記画像データ（７４）と共に前記ディスプレイ（４２）に表示出力する処理を行うブラウザ（４４）を有している、
制御機器情報システム（１００）。
【請求項２】
前記表示装置（４０）は、前記サーバメモリ（７３）に格納されている前記画像データ（７４）を、前記制御対象機器（３０）を介した通信によって取得する、
請求項１に記載の制御機器情報システム（１００）。
【請求項３】
前記サーバ（７０）は、前記制御対象機器（３０）の前記機器メモリ（３５）に格納されている前記状態データ（３６）を要求する要求指示を前記表示装置（４０）から前記制御対象機器（３０）に送らせるための表示処理開始プログラム（７６）を有しており、
前記表示装置（４０）は、表示装置メモリ（４３）を有し、前記サーバ（７０）から前記表示処理開始プログラム（７６）をダウンロードして前記表示装置メモリ（４３）において実行する、
請求項１または２に記載の制御機器情報システム（１００）。
【請求項４】
前記表示装置（４０）は、制御指示受付部（４５）を有し、前記制御指示受付部（４５）が受け付けた制御データを、前記制御対象機器（３０）に対して送信する、
請求項１から３のいずれか１項に記載の制御機器情報システム（１００）。
【請求項５】
前記表示装置（４０）は、取得した前記画像データ（７４）のうち、最新のデータを格納するキャッシュメモリ（４６）を有している、
請求項１から４のいずれか１項に記載の制御機器情報システム（１００）。
【手続補正２】
【補正対象書類名】明細書
【補正対象項目名】全文
【補正方法】変更
【補正の内容】
【発明の詳細な説明】
【技術分野】
【０００１】
本発明は、制御機器の状態情報を表示出力する制御機器情報システムに関する。
【背景技術】
【０００２】
従来より、以下に示す特許文献１に記載のように、制御対象である空気調和装置に関する運転中、停止中、故障中等の稼働状態や、設定温度、検出温度、検出結果・動作状態を示す情報を取得して、表示装置のディスプレイに表示して、管理等が行われている。
【０００３】
このような、空気調和装置に関する情報を表示する場合には、取得したデータだけでなく、表示出力を行う際の画面構成のデータが必要になる。そして、このような画面構成データは、制御対象である機器のメモリに予め格納しておき、表示装置に読み取らせる構成のシステムがある。
【特許文献１】特開平９−２５７２９７号公報
【発明の開示】
【発明が解決しようとする課題】
【０００４】
しかし、上記のシステムでは、空気調和装置が有しているメモリにおいて画面構成データを格納させているため、空気調和装置が有しているメモリは、このような画面構成データを格納することができるだけの容量が必要になってしまう。これに対して、空気調和装置が有しているメモリにおいて、画面構成データを格納することや画面構成データを用いることによって消費される容量分をできるだけ低く抑えたいという要望がある。
【０００５】
本発明は、上述した点に鑑みてなされたものであり、本発明の課題は、制御対象機器の情報を表示するシステムにおいて、制御対象機器が備えるメモリの使用を節約することが可能な制御機器情報システムを提供することにある。
【課題を解決するための手段】
【０００６】
第１発明に係る制御機器情報システムは、制御対象機器と、サーバと、表示装置とを備えている。制御対象機器は、状態量を検知する状態検知手段と、状態検知手段が検知した状態データを格納する機器メモリを有している。サーバは、制御対象機器に関する状態データと共に表示出力するための画像データが格納されているサーバメモリを有している。表示装置は、ディスプレイを有し、機器メモリに格納されている状態データとサーバメモリに格納されている画像データをそれぞれ通信により取得し、取得した状態データを画像データと共にディスプレイに表示出力する。表示装置は、取得した状態データを画像データと共にディスプレイに表示出力する処理を行うブラウザを有している。
【０００７】
ここでは、制御対象機器の状態データを表示出力する際に利用する画像データが、制御対象機器自体ではなく、サーバのサーバメモリに格納されている。そして、表示装置が、状態データを制御対象機器から取得し、画像データをサーバから取得し、これらを共にディスプレイに表示出力する。
【０００８】
これにより、制御対象機器の状態データを表示出力するシステムにおいて、制御対象機器の機器メモリには画像データが含まれていないため、機器メモリの容量を小さく抑えることが可能になる。
【０００９】
第２発明に係る制御機器情報システムは、第１発明の制御機器情報システムにおいて、表示装置は、サーバメモリに格納されている画像データを、制御対象機器を介した通信によって取得する。
【００１０】
ここでは、表示装置は、画像データを制御対象機器を介したサーバとの通信によって取得することができる。
【００１１】
これにより、表示装置は、サーバとの間で直接通信を行わなくても、状態データと画像データとをディスプレイに表示出力することが可能になる。
【００１２】
第３発明に係る制御機器情報システムは、第１発明または第２発明の制御機器情報システムにおいて、サーバは、制御対象機器の機器メモリに格納されている状態データを要求する要求指示を表示装置から制御対象機器に送らせるための表示処理開始プログラムを有している。表示装置は、表示装置メモリを有し、サーバから表示処理開始プログラムをダウンロードして表示装置メモリにおいて実行する。
【００１３】
ここでは、表示装置は、サーバから表示処理開始プログラムをダウンロードし、表示装置メモリにおいて実行することができ、自動的に制御対象機器に対して状態データを要求できる。
【００１４】
これにより、制御対象機器に対して状態データを要求する処理を行うためのプログラムを表示装置が有している必要がなくなり、サーバからの画像データのダウンロードと共に表示処理開始プログラムをダウンロードすることで表示処理を自動的に開始することが可能になる。
【００１５】
第４発明に係る制御機器情報システムは、第１発明から第３発明のいずれかの制御機器情報システムにおいて、表示装置は、制御指示受付部を有し、制御指示受付部が受け付けた制御データを、制御対象機器に対して送信する。
【００１６】
ここでは、ユーザは、表示装置における表示内容を参照しつつ、制御データを制御指示受付部に対して入力することが可能になる。
【００１７】
第５発明に係る制御機器情報システムは、第１発明から第４発明のいずれかの制御機器情報システムにおいて、表示装置は、取得した画面構成データのうち、最新のデータを格納するキャッシュメモリを有している。
【００１８】
ここでは、再度の表示処理を行う際に、制御対象機器に対応した画像データがキャッシュメモリに残っている場合には、その残っている画像データを用いて表示出力を行うことができるため、表示装置が再度サーバにアクセスして画像データを取得する必要がなくなる。
【発明の効果】
【００１９】
第１発明の制御機器情報システムでは、制御対象機器の状態データを表示出力するシステムにおいて、制御対象機器の機器メモリには画像データが含まれていないため、機器メモリの容量を小さく抑えることが可能になる。
【００２０】
第２発明の制御機器情報システムでは、表示装置は、サーバとの間で直接通信を行わなくても、状態データと画像データとをディスプレイに表示出力することが可能になる。
【００２１】
第３発明の制御機器情報システムでは、制御対象機器に対して状態データを要求する処理を行うためのプログラムを表示装置が有している必要がなくなり、サーバからの画像データのダウンロードと共に表示処理開始プログラムをダウンロードすることで表示処理を自動的に開始することが可能になる。
【００２２】
第４発明の制御機器情報システムでは、ユーザは、表示装置における表示内容を参照しつつ、制御データを制御指示受付部に対して入力することが可能になる。
【００２３】
第５発明の制御機器情報システムでは、再度の表示処理を行う際に、制御対象機器に対応した画像データがキャッシュメモリに残っている場合には、その残っている画像データを用いて表示出力を行うことができるため、表示装置が再度サーバにアクセスして画面構成データを取得する必要がなくなる。
【発明を実施するための最良の形態】
【００２４】
＜空気調和システム１００の概略構成＞
図１に、本発明の一実施形態が採用された空気調和システム１００の概略構成図を示す。
【００２５】
空気調和システム１００は、空気調和装置１と、遠隔監視センタ７０と、ブラウザＰＣ４０と、とを備えており、空気調和装置１の状態監視を行ったり、制御を行うシステムである。
【００２６】
ここで、遠隔監視センタ７０とブラウザＰＣとは、図１に示すように、インターネット介して通信可能に接続されている。また、ブラウザＰＣと空気調和装置１とは、図１に示すように、ローカルネットワークを介して通信可能に接続されている。
【００２７】
ここで、空気調和システム１００の概略ブロック構成図を、図２に示す。
【００２８】
遠隔監視センタ７０は、遠隔から空気調和装置１の監視を行ったり、制御を行う装置であって、ＣＰＵ７１と、ディスプレイ７２と、センタメモリ７３と、通信部７９を備えている。センタメモリ７３には、予め、画面構成データ７４と、アダプタＩＰアドレス７５と、アクティブＸプログラム７６等が格納されている。ここで、画面構成データ７４は、例えば、図３および図４に示すような、画面表示を行うための基本となる画像データである。この画面構成データ７４に対して、後述する空気調和装置１の状態データ３６が対応入力されることで、ブラウザＰＣ４０によって、図５および図６に示すような、状態データ３６が含まれた画像表示が行われる。なお、ここでの画面構成データ７４は、ＨＴＭＬ形式のデータである。また、アダプタＩＰアドレス７５は、図２に示すように、ブラウザＰＣ４０がアダプタ３０に対してアクセスすることができるように、アダプタ３０に割り振られているアダプタＩＰアドレス３３と対応するものである。また、アクティブＸプログラム７６は、ブラウザＰＣ４０によってダウンロードされ、ブラウザＰＣ４０上で機動されるプログラムであって、ブラウザＰＣ４０にアダプタ３０から状態データ３６を取得させる処理を実行させるものである。なお、遠隔監視センタ７０の通信は、通信部７９を介して行われる。
【００２９】
ブラウザＰＣ４０は、インターネットを介して遠隔監視センタ７０と接続されており、ＣＰＵ４１と、ディスプレイ４２と、ブラウザ４４と、キーボード４５と、キャッシュメモリ４６と、ブラウザメモリ４３と、通信部４９を有している。ブラウザＰＣ４０は、上述したように、遠隔監視センタ７０から画面構成データ７４を取得し、アダプタ３０から状態データ３６を取得し、ブラウザメモリ４３に格納しつつ、ブラウザ４４がこれらのデータを合成処理することで、図５および図６のような画像をディスプレイ４２に対して表示出力させるものである。なお、ここで、キャッシュメモリ４６には、遠隔監視センタ７０から取得した最新の画面構成データ７４が上書き保存されている。なお、ブラウザＰＣ４０自身は、プログラムを有しているわけではなく、遠隔監視センタ７０からアクティブＸプログラム７６をダウンロードして、インストールを行うことなくブラウザメモリ４３上で実行させる。なお、ブラウザＰＣは、キーボード４５によってユーザの制御データを受け付けて、アダプタ３０に送信することで、ユーザの望む制御をアダプタ３０に実行させる。なお、ブラウザＰＣ４０の通信は、通信部４９を介して行われる。
【００３０】
空気調和装置１は、図１に示すように、室内機１０と室外機２０とが接続されて構成されている。そして、室内機１０は、ブラウザＰＣ４０と通信可能に接続されるアダプタ３０を有している。
【００３１】
アダプタ３０は、ＣＰＵ３１と、制御プログラム３２と、アダプタメモリ３５と、通信部３９を備えている。制御プログラム３２は、上述したように、ブラウザＰＣ４０のキーボード４５を介してユーザによって入力されたデータをアダプタ３０が受信することで、制御データに従って制御プログラム３２を機動させ、室内機１０および室外機２０を制御する。アダプタメモリ３５は、小容量メモリ（１２８ＫＢのメモリ）であり、アダプタＩＰアドレス３３が格納されている。ここで、アダプタＩＰアドレス３３は、アダプタ３０を特定するために予めアダプタ３０自体に割り当てられている固有のＩＤである。また、アダプタメモリ３５には、制御対象である室内機１０や室外機２０に設けられた各種検知センサ５０が検知する状態データが格納される。ここで、アダプタ３０自体は、これらの状態データ３６を表示出力するための基本となる画面構成データは格納していない。これは、アダプタ３０のアダプタメモリ３５に、画面構成データを格納することでアダプタメモリ３５の容量が増大することを防ぐためである。なお、アダプタ３０の通信は、通信部３９を介して行われる。
【００３２】
各種検知センサ５０は、例えば、室内機１０が設置されている室内の温度や湿度、室外機１０が設置されている室外の温度等を検知する。
【００３３】
＜画面更新処理＞
図７に、画面表示処理のフローチャートを示す。
【００３４】
ステップＳ１１では、ブラウザＰＣ４０が、ユーザからの遠隔監視センタ７０のＵＲＬを受け付ける。ここで、ユーザは、ブラウザＰＣ４０のキーボード４５によって遠隔監視センタ７０のＵＲＬを入力し、ブラウザＰＣ４０のＣＰＵ４１がインターネットを介して遠隔監視センタ７０にアクセスする。
【００３５】
ステップＳ１２では、ブラウザＰＣ４０のＣＰＵ４１が、インターネットを介して、遠隔監視センタ７０から、画面構成データ７４と、アダプタＩＰアドレス７５と、アクティブＸプログラム７６とを、ダウンロードする。
【００３６】
ステップＳ１３では、ブラウザＰＣ４０のＣＰＵ４１は、ダウンロードした画面構成データ７４を、インストールすることなく、ブラウザメモリ４３に格納する。
【００３７】
なお、ここでは、空気調和装置１に関する状態データ３６を取得する前であっても、各画面構成データを表示出力することができる。すなわち、この状態で、ブラウザＰＣ４０のＣＰＵ４１は、監視対象となる空気調和装置１が複数存在する場合には、ディスプレイ４２に、図８に示すような、複数の空気調和装置１の一覧表示を表示出力することができる。この監視対象エアコンの一覧表示の中には、図８に示すように、各空気調和装置１それぞれに対応した「操作」ボタンを表示させることができる。
【００３８】
ここで、複数の空気調和装置１の「操作」ボタンの中から、ユーザは、特定の空気調和装置１の「操作」ボタンを選んで選択入力することができる。ブラウザＰＣ４０のＣＰＵ４１は、このユーザによる選択入力を受け付けた場合に、当該受け付けた空気調和装置１に関する画面構成データ（例えば、図３、図４等の画面構成データ）をディスプレイ４２に表示出力することができる。このように、当該受け付けた空気調和装置１に関する画面構成データがディスプレイ４２に表示出力された状態で、ブラウザＰＣ４０のＣＰＵ４１は、ユーザからキーボード４５等を介したさらなる入力を受け付けることにより、各空気調和装置１の設定操作をブラウザＰＣによって行うこともできる。
【００３９】
ステップＳ１４では、ブラウザＰＣ４０のＣＰＵ４１は、ダウンロードしたアクティブＸプログラム７６を自動的に起動させて、アダプタＩＰアドレス７５の宛先にしたがって自動的にアダプタ３０にアクセスする。
【００４０】
ステップＳ１５では、ブラウザＰＣ４０のＣＰＵ４１がアダプタ３０にアクセスすることで、アダプタ３０のＣＰＵ３１は、アダプタメモリ３５に格納されている状態データ３６をブラウザＰＣ４０に送信する。
【００４１】
ステップＳ１６では、ブラウザＰＣ４０のブラウザメモリ４３は、状態データ３６をブラウザメモリ４３に格納する。そして、ブラウザ４４は、ブラウザメモリ４３に格納されている遠隔監視センタ７０からダウンロードしてきた画面構成データ７４と、アダプタ３０から受信した状態データ３６とを組み合わせる処理を行い、図５および図６のような画像および数値データをディスプレイ４２に表示出力させる。
【００４２】
＜本実施形態に係る空気調和システム１００の特徴＞
（１）
本実施形態の空気調和システム１００では、空気調和装置１の室内機１０や室外機２０に設けられた複数の各種検知センサ５０が取得する状態データ３６を、ブラウザＰＣ４０において目に見えるかたちで表示出力する際に、遠隔監視センタ７０のセンタメモリ７３に格納されている画面構成データ７４をブラウザＰＣ４０がダウンロードすれば足り、空気調和装置１のアダプタ３０のアダプタメモリ３５には画面構成データを格納させる必要がないため、アダプタメモリ３５の容量を小さく抑えることができる。
【００４３】
（２）
本実施形態の空気調和システム１００では、ブラウザＰＣ４０に表示処理を開始させるためのプログラムであるアクティブＸプログラム７６が遠隔監視センタ７０のセンタメモリ７３に格納されている。このため、ブラウザＰＣ４０自体は、表示処理を開始させ、アダプタ３０に対して状態データ３６を要求する処理を行うためのプログラムを保持しておく必要がなくなり、遠隔監視センタ７０からの画面構成データ７４のダウンロードと共にアクティブＸプログラム７６をダウンロードすることで表示処理を自動的に開始することができる。
【００４４】
（３）
本実施形態の空気調和システム１００では、キャッシュメモリ４６には、遠隔監視センタ７０から取得した最新の画面構成データ７４が上書き保存されている。このため、ブラウザＰＣ４０が、再度の表示出力を行う際に、アダプタ３０に対応した画面構成データ７４がキャッシュメモリ４６に残っている場合には、その残っている画面構成データ７４を用いて表示出力を行うことができるため、ブラウザＰＣ４０が再度遠隔監視センタ７０にアクセスして画面構成データ７４を取得する必要がなくなる。
【００４５】
＜空気調和システム１００の変形例＞
以上、本発明の実施形態について図面に基づいて説明したが、具体的な構成は、これらの実施形態に限られるものではなく、発明の要旨を逸脱しない範囲で変更可能である。
【００４６】
上記実施形態では、ブラウザＰＣ４０が遠隔監視センタ７０と直接通信を行うことで画面構成データ７４等をダウンロードする場合を例に挙げて説明した。
【００４７】
しかし、本発明はこれに限られるものではなく、ブラウザＰＣ４０が、アダプタ３０に画面構成データを要求する信号を送信し、アダプタ３０が、遠隔監視センタ７０から画面構成データ７４等をダウンロードし、アダプタ３０がインストールすることなくブラウザＰＣ４０に送信することで、ブラウザＰＣが画面構成データ７４等を取得するようにしてもよい。この場合には、ブラウザＰＣ４０は、遠隔監視センタ７０との間で直接通信を行わなくても、状態データ３６と画面構成データ７４とを共に表示出力させることができる。
【産業上の利用可能性】
【００４８】
本発明を利用すれば、制御対象機器が備えるメモリの使用を節約することが可能なため、特に、制御対象機器の情報を表示するシステムにおいて用いることができる。
【図面の簡単な説明】
【００４９】
【図１】空気調和システムの概略構成図。
【図２】空気調和システムの機能ブロック構成図。
【図３】設定温度等についての画面構成データを示す図。
【図４】風量についての画面構成データ例を示す図。
【図５】設定温度等についての画面表示例を示す図。
【図６】風量についての画面表示例を示す図。
【図７】画面表示処理のフローチャート。
【図８】空気調和装置毎の「操作」ボタン受付画面の例を示す図。
【符号の説明】
【００５０】
１    空気調和装置
１０    室内機
２０    室外機
３０    アダプタ（制御対象機器）
３５    アダプタメモリ（機器メモリ）
３６    状態データ
４０    ブラウザＰＣ（表示装置）
４２    ディスプレイ
４３    ブラウザメモリ（表示装置メモリ）
４４    ブラウザ
４６    キャッシュメモリ
４９    通信部
５０    各種検知センサ（状態検知手段）
７０    遠隔監視センタ
７３    センタメモリ（サーバメモリ）
７４    画面構成データ
７６    アクティブＸプログラム（表示処理開始プログラム）
１００    空気調和システム（制御機器情報システム）